(57)【特許請求の範囲】
【請求項１】
有底筒状の内容物収容部を備えるレフィル用の内容器と、有底筒状の内容器収納部を備える外容器とを備える二重容器において、
前記内容器と前記外容器との間には、前記内容物収容部を前記内容器収容部内へ挿入したとき互いに乗り越え嵌合することで前記内容物収容部の抜け出しを妨げる嵌合部が設けられており、
前記内容器は枢支部を介して揺動可能な可動部を備え、
前記可動部の前記枢支部に対する一方側部分を引き上げると、該引き上げに伴い他方側部分が前記外容器に押しつけられて前記内容器が上方へ移動し、前記嵌合が外れることを特徴とする二重容器。
【請求項２】
前記可動部は、弧状をなすと共に２つの前記枢支部を介して揺動可能であり、該枢支部間の部分を引き上げると、該引き上げに伴い該枢支部の外側の部分が前記外容器に押しつけられて前記内容器が上方へ移動し、前記嵌合が外れる、請求項１に記載の二重容器。
【請求項３】
互いに対向して配置された一対の弧状をなす前記可動部を備える、請求項２に記載の二重容器。
【請求項４】
前記可動部は、前記内容物収容部の上部外周側に形成されたフランジ部の少なくとも一部であり、前記２つの枢支部間の部分は、該部分の引き上げにより破断可能な薄肉部を介して前記内容物収容部に繋がっている、請求項２又は３に記載の二重容器。
【請求項５】
前記可動部及び前記枢支部は前記内容器と一体に成形されている、請求項１〜４のいずれか一項に記載の二重容器。
【発明の詳細な説明】
【技術分野】
【０００１】
本発明は、レフィル（詰め替え）用の内容器と外容器とを備える二重容器に関し、特に、内容器の交換を容易化すると共に容器の外観設計の自由度を向上しようとするものである。
【背景技術】
【０００２】
従来、クリーム等の内容物を収容する容器として、内容物のレフィル用の内容器と外容器とを備える二重容器が知られている。このような二重容器では、内容器の交換に際し、内容器を外容器から取外す必要があるが、その取外しの要領としては、例えば、内容器を摘み引き上げる、外容器本体底部に内容器を押し上げるための貫通孔を設ける、コイン等を用い抉じ開ける、といったものが考えられる。また、例えば特許文献１では、内容器に押圧操作により回動可能な押圧部を設け、外容器には、該押圧部を露出させる切欠き部を設けると共に該押圧部が係止可能な被係止部を設けている。
【先行技術文献】
【特許文献】
【０００３】
【特許文献１】特開２０１０−１９５４８４号公報
【発明の概要】
【発明が解決しようとする課題】
【０００４】
しかしながら、前記したような内容器の取外し要領を採用する場合には、内容器を取外すのに比較的大きな力が必要となったり、貫通孔や切欠き部を設けるために容器の外観設計上の制約を生じてしまうといった問題がある。また交換の要領を分かり易く、特に高齢者にとって使い易いものとすることも望まれる。
【０００５】
本発明は、このような課題を解決するために開発されたもので、内容器の交換を容易化すると共に容器の外観設計の自由度を向上することができる二重容器を提供することを目的とする。
【課題を解決するための手段】
【０００６】
すなわち、本発明の要旨構成は以下のとおりである。
１．有底筒状の内容物収容部を備えるレフィル用の内容器と、有底筒状の内容器収納部を備える外容器とを備える二重容器において、
前記内容器と前記外容器との間には、前記内容物収容部を前記内容器収容部内へ挿入したとき互いに乗り越え嵌合することで前記内容物収容部の抜け出しを妨げる嵌合部が設けられており、
前記内容器は枢支部を介して揺動可能な可動部を備え、
前記可動部の前記枢支部に対する一方側部分を引き上げると、該引き上げに伴い他方側部分が前記外容器に押しつけられて前記内容器が上方へ移動し、前記嵌合が外れることを特徴とする二重容器。
【０００７】
２．前記可動部は、弧状をなすと共に２つの前記枢支部を介して揺動可能であり、該枢支部間の部分を引き上げると、該引き上げに伴い該枢支部の外側の部分が前記外容器に押しつけられて前記内容器が上方へ移動し、前記嵌合が外れる、前記１の二重容器。
【０００８】
３．互いに対向して配置された一対の弧状をなす前記可動部を備える、前記２の二重容器。
【０００９】
４．前記可動部は、前記内容物収容部の上部外周側に形成されたフランジ部の少なくとも一部であり、前記２つの枢支部間の部分は、該部分の引き上げにより破断可能な薄肉部を介して前記内容物収容部に繋がっている、前記２又は３の二重容器。
【００１０】
５．前記可動部及び前記枢支部は前記内容器と一体に成形されている、前記１〜４のいずれかの二重容器。
【発明の効果】
【００１１】
本発明によれば、内容器の交換に際し、可動部の枢支部に対する一方側部分を引き上げることで、該引き上げに伴い他方側部分を前記外容器に押しつける梃子の作用によって、内容器を上方へ移動させて内容器と外容器との嵌合を外すことができるため、内容器を容易に取外すことができる。また、内容器を取外すために、内容器を押圧するための貫通孔や切欠き部を外容器に設ける必要もない。
【００１２】
したがって、本発明によれば、内容器の交換を容易化すると共に容器の外観設計の自由度を向上することができる二重容器を提供することができる。
【図面の簡単な説明】
【００１３】
【図１】本発明の一実施形態に係る二重容器の一部断面側面図である。
【図２】図１の二重容器のための新たな内容器を示す図であり、（ａ）は平面図、（ｂ）は一部断面側面図である。
【図３】図１の二重容器における内容器の交換要領を説明するための一部断面側面図であり、外容器キャップを取外し、可動部の枢支部に対する一方側部分を引き上げて内容器を上方へ移動させ、内容器と外容器との嵌合が外れた状態を示す。
【図４】図１の二重容器における内容器の交換要領を説明するための一部断面側面図であり、図３の状態からさらに、可動部に指を通して内容器を引き上げた状態を示す。
【図５】図１の二重容器における内容器の交換要領を説明するための一部断面側面図であり、（ａ）は図４の状態からさらに図２の新たな内容器をシール除去後に外容器内に挿入した状態を示し、（ｂ）は（ａ）の挿入が完了した状態を示す。
【発明を実施するための形態】
【００１４】
以下、図１〜図５を参照して、本発明の一実施形態に係る二重容器１について詳細に例示説明する。
なお、本明細書において、上下方向とは、内容器１０及び外容器２０の中心軸線Ｏに沿う方向を意味し、上方とは内容器１０の内容物収容部１１の開口部１２が位置する側（例えば、図１における上方）、下方とは内容物収容部１１の底壁部１１ｂが位置する側（例えば、図１における下方）を意味するものとする。
【００１５】
図１〜図２に示すように、本実施形態に係る二重容器１は、レフィル用の内容器１０と、外容器２０と、外容器キャップ３０とを備えている。内容器１０は、軸線Ｏを中心とする有底円筒状の内容物収容部１１を備えている。すなわち、内容物収容部１１は、その上部に開口部１２を形成すると共に、周壁部１１ａ及び底壁部１１ｂとからなっている。周壁部１１ａの上端部には、径方向外側に延びる円環状の外向き壁部１３が連接されている。外向き壁部１３の外周縁には、円筒状をなす環状壁部１４が垂設されている。環状壁部１４の内周面には、環状の内向き凸部１５（嵌合部）が周設されている。
【００１６】
環状壁部１４の外周面には、略全周に亘って配置されると共に径方向外側に延在するフランジ部１６が形成されている。フランジ部１６は、本実施形態では、互いに対向して配置された一対の弧状をなす可動部１６ａからなっている。一対の弧状をなす可動部１６ａはそれぞれ、２つの枢支部１７を介して環状壁部１４の外周面に連結している。また、各可動部１６ａの２つの枢支部１７間の部分は、該部分の引き上げにより破断可能な２つの薄肉部１８を介して環状壁部１４の外周面に繋がっている。そして、各可動部１６ａは、薄肉部１８の破断により２つの枢支部１７を介して揺動可能となり、図３に示すように、枢支部１７間の部分を引き上げると、該引き上げに伴い枢支部１７の外側の部分が外容器２０の支持面２３ｂに押しつけられて内容器１０が上方へ移動し、内容器１０と外容器２０との嵌合が外れるようになっている。なお、各可動部１６ａは、縦断面において略Ｌ字形状をなしている。
【００１７】
また、本実施形態では、内容器１０は、合成樹脂材料の射出成形を用いた一体成形によって形成されている。したがって、可動部１６ａ及び枢支部１７は内容器１０と一体に成形されている。また、図２に示すように、新たな内容器１０の外向き壁部１３の上面に形成された円環状のシール突起１３ａには、内容物収容部１１内に収容されたクリーム等の内容物Ｃの品質を維持するためのシールＳが剥離可能に貼着されている。
【００１８】
外容器２０は、図１に示すように、内容器１０を収容可能な軸線Ｏを中心とする有底円筒状の内容器収納部２１を備えている。すなわち、内容器収納部２１は、その上部に開口部２２を形成すると共に、外周壁部２１ａ及び底壁部２１ｂとからなっている。外周壁部２１ａの外周面上端部には、下方に向けて拡径する段部２３が形成されている。段部２３の外周面には、内容器１０の前述した環状の内向き凸部１５（嵌合部）と嵌合可能な環状の外向き凸部２３ａ（嵌合部）が形成されている。すなわち、本例では、内向き凸部１５と外向き凸部２３ａとにより、内容物収容部１１を内容器収容部２１内へ挿入したとき互いに乗り越え嵌合することで内容物収容部１１の抜け出しを妨げる嵌合部を構成している。また、段部２３の上面は、内容器１０の交換に際して各可動部１６ａにおける枢支部１７の外側の部分が押しつけられる支持面２３ｂになっている。段部２３の下方には、雄ねじ部２４が形成されている。
【００１９】
外容器キャップ３０は、図１に示すように、円筒状の外壁部３１と、外壁部３１の上端部を閉塞するドーム状の天壁部３２とを備えている。外壁部３１の内周面には、前述した雄ねじ部２４と螺合する雌ねじ部３３が形成されている。天壁部３２の下面には、円板状のパッキン３４が貼着されており、内容器１０の外向き壁部１３の上面に形成された円環状のシール突起１３ａとパッキン３４とが密接することで、内容物収容部１１が密封されるようになっている。なお、天壁部３２はドーム状に限られず、平面状又は凹面状など、任意の形状であってよい。
【００２０】
かかる構成になる二重容器１によれば、内容物Ｃを使い切った際などに、以下の要領で内容器１０を新たな内容器１０と交換することができる。すなわち、まず、図３に示すように、各可動部１６ａの２つの枢支部１７間の部分を、薄肉部１８（図２（ａ）参照）を破断させつつ引き上げると、該引き上げに伴い枢支部１７の外側の部分が外容器２０の支持面２３ｂに押しつけられて、梃子の作用で内容器１０が上方へ移動し、内容器１０の内向き凸部１５と外容器２０の外向き凸部２３ａとの嵌合が外れる。そして、図４に示すように、各可動部１６ａに指を通して内容器１０を引き上げるだけで、内容器１０を外容器２０から取り出すことができる。このようにして内容器１０を取り出した後は、図２に示したような新たな内容器１０からシールＳを取外し、図５に示すように、新たな内容器１０を外容器２０内に挿入して嵌合させることで、内容器１０の交換を完了させることができる。
【００２１】
以上説明したように、本実施形態に係る二重容器１は、有底筒状の内容物収容部１１を備えるレフィル用の内容器１０と、有底筒状の内容器収納部２１を備える外容器２０とを備える二重容器１において、内容器１０と外容器２０との間には、内容物収容部１１を内容器収容部２１内へ挿入したとき互いに乗り越え嵌合することで内容物収容部１１の抜け出しを妨げる嵌合部（本例では、内向き凸部１５と外向き凸部２３ａ）が設けられており、内容器１０は枢支部１７を介して揺動可能な可動部１６ａを備え、可動部１６ａの枢支部１７に対する一方側部分を引き上げると、該引き上げに伴い他方側部分が外容器２０に押しつけられて内容器１０が上方へ移動し、前記嵌合が外れるという構成になっている。
【００２２】
したがって、内容器１０の交換に際し、可動部１６ａの枢支部１７に対する一方側部分を引き上げることで、該引き上げに伴い他方側部分を外容器２０に押しつける梃子の作用によって、内容器１０を上方へ移動させて内容器１０と外容器２０との嵌合を外すことができるため、内容器１０を容易に取外すことができる。また、内容器１０を取外すために、内容器１０を押圧するための貫通孔や切欠き部を外容器２０に設ける必要もない。したがって、本実施形態によれば、内容器１０の交換を容易化すると共に容器の外観設計の自由度を向上することができる。
【００２３】
また、本実施形態に係る二重容器１では、可動部１６ａは、弧状をなすと共に２つの枢支部１７を介して揺動可能であり、該枢支部１７間の部分を引き上げると、該引き上げに伴い該枢支部１７の外側の部分が外容器２０に押しつけられて内容器１０が上方へ移動し、前記嵌合が外れる。したがって、簡素な構成で容易に内容器１０と外容器２０との嵌合を外すことができる。
【００２４】
また、本実施形態に係る二重容器１では、互いに対向して配置された一対の弧状をなす可動部１６ａを備えている。したがって、内容器１０と外容器２０との嵌合を容易に外すことができると共に、嵌合を外した後は、一対の弧状をなす可動部１６ａに指を通して安定して内容器１０を引き上げることができる。
【００２５】
また、本実施形態に係る二重容器１では、可動部１６ａは、内容物収容部１１の上部外周側に形成されたフランジ部１６の少なくとも一部であり、２つの枢支部１７間の部分は、該部分の引き上げにより破断可能な薄肉部１８を介して内容物収容部１１に繋がっている。したがって、内容器１０を外容器２０に取り付ける際には可動部１６ａが邪魔にならず、また、外容器２０への取付け後に可動部１６ａが容器の外観を損なうこともない。
【００２６】
さらに、本実施形態に係る二重容器１では、可動部１６ａ及び枢支部１７は内容器１０と一体に成形されている。したがって、部品点数の増加を抑制し、コストの増加を抑えることができる。
【００２７】
前述したところは本発明の一実施形態を示したにすぎず、特許請求の範囲において、種々の変更を加えることができる。例えば、可動部１６ａの形状は弧状に限定されず、その他の形状をなしてもよい。また、可動部１６ａを１つ又は３つ以上設けることも可能である。また、薄肉部１８は各可動部１６ａに対して１つ又は３つ以上設けてもよいし、薄肉部１８を設けないことも可能である。さらに、嵌合部（内向き凸部１５及び外向き凸部２３ａ）は必ずしも内容器１０の環状壁部１４と外容器２０の外周壁部２１ａの上端部との間に設ける必要はなく、その他の部分に設けてもよい。
【符号の説明】
【００２８】
１  二重容器
１０  内容器
１１  内容物収容部
１１ａ  周壁部
１１ｂ  底壁部
１２  開口部
１３  外向き壁部
１３ａ  シール突起
１４  環状壁部
１５  内向き凸部（嵌合部）
１６  フランジ部
１６ａ  可動部
１７  枢支部
１８  薄肉部
２０  外容器
２１  内容器収納部
２１ａ  外周壁部
２１ｂ  底壁部
２２  開口部
２３  段部
２３ａ  外向き凸部（嵌合部）
２３ｂ  支持面
２４  雄ねじ部
３０  外容器キャップ
３１  外壁部
３２  天壁部
３３  雌ねじ部
３４  パッキン
Ｏ  軸線
Ｃ  内容物
Ｓ  シール
【図１】
0006377014.tif 000002
【図２】
0006377014.tif 000003
【図３】
0006377014.tif 000004
【図４】
0006377014.tif 000005
【図５】
0006377014.tif 000006